(57)【特許請求の範囲】
【請求項１】
建屋（Ｂ）内を客室（Ｃ）と機械室（Ｍ）とに仕切壁（Ｄ）で仕切り、
この建屋（Ｂ）内に、穀物を投入する投入ホッパ（１２）と、投入ホッパ（１２）内の投入穀物を繰り出す繰り出し手段（１２ａ）と、利用者の操作によって投入穀物の精米条件を規定する白度選択部（２２）と、その投入穀物を精米する精米部（１４ａ，１４，１６ａ，１６）と、この精米部から出力された穀物を受ける白米タンク（１３）と、精米部（１４ａ，１４，１６ａ，１６）を操作盤（Ｐ）で設定した精米条件で精米動作させる精米運転制御を行う制御部とを設け、
該制御部は清掃スイッチ（２３）の操作信号によって精米部（１４ａ，１４，１６ａ，１６）各機器内の残留穀物を排出させる清掃運転制御を行う構成とし、
精米部（１４ａ，１４，１６ａ，１６）と白米タンク（１３）との間には、清掃スイッチ（２３）の操作と対応して精米部から排出される穀物の案内先を切替える切替弁（１３ａ）を設け、この切替弁（１３ａ）を介して穀物を受ける残留米受部（１３ｂ）を機械室（Ｍ）に備えることを特徴とする料金式精米設備。
【請求項２】
建屋（Ｂ）内を客室（Ｃ）と機械室（Ｍ）とに仕切壁（Ｄ）で仕切り、
この建屋（Ｂ）内に、穀物を投入する投入ホッパ（１２）と、投入ホッパ（１２）内の投入穀物を繰り出す繰り出し手段（１２ａ）と、利用者の操作によって投入穀物の精米条件を規定する白度選択部（２２）と、その投入穀物を精米する精米部（１４ａ，１４，１６ａ，１６）と、この精米部から出力された穀物を受ける白米タンク（１３）と、精米部（１４ａ，１４，１６ａ，１６）を操作盤（Ｐ）で設定した精米条件で精米動作させる精米運転制御を行う制御部とを設け、
該制御部は清掃スイッチ（２３）の操作信号によって、繰り出し手段（１２ａ）を駆動し、投入ホッパ（１２）内の残留穀物を繰り出す清掃運転制御を行う構成とし、
該繰り出した穀物を受ける残留米受部（１３ｂ）を機械室（Ｍ）に備えることを特徴とする料金式精米設備。
【発明の詳細な説明】
【技術分野】
【０００１】
本発明は、利用者の投入による穀物を投入料金の範囲で全自動処理により精米出力する料金式精米設備に関するものである。
【背景技術】
【０００２】
料金式精米設備は、利用者の投入による穀物を投入料金の範囲で全自動処理して精米出力するために、特許文献１に記載のように、料金、穀物の投入、その他の入力によって精米条件を規定する精米設定部と、その投入穀物を精米する精米部と、精米出力された穀物を払出し可能に受ける精米受部と、これらの機器動作を精米条件に添って運転制御する制御部とから構成したものが知られている。
【０００３】
さらに、この料金式精米設備は、投入穀物の返却ボタンを精米設定部に配置し、このボタンを操作することによって穀物投入部から穀物を返却可能に構成することにより、前の利用者が料金切れ等によって未処理のまま放棄した投入穀物が穀物投入部に残留する場合において、その混入を避けようとする利用者の操作に応じて残留穀物を排出した後において、持込穀物について精米することができる。
【先行技術文献】
【特許文献】
【０００４】
【特許文献１】特開２００１−２０５１１６号公報
【発明の概要】
【発明が解決しようとする課題】
【０００５】
しかしながら、上記料金式精米設備は、精米部に穀物が残留する場合には、利用者の操作で残留穀物を排出することができず、その存否すら利用者には分からないことから、次の利用者の精米出力に混入するという問題を内包しており、その解決が望まれていた。
【０００６】
本発明の目的は、全自動処理によって料金対応の精米出力をするとともに、穀物が精米機器の内部に残留する場合であっても、その混入を招くことなく、利用者が投入した穀物のみを精米出力することができる料金式精米設備を提供することにある。
【課題を解決するための手段】
【０００７】
請求項１に係る発明は、建屋（Ｂ）内を客室（Ｃ）と機械室（Ｍ）とに仕切壁（Ｄ）で仕切り、この建屋（Ｂ）内に、穀物を投入する投入ホッパ（１２）と、投入ホッパ（１２）内の投入穀物を繰り出す繰り出し手段（１２ａ）と、利用者の操作によって投入穀物の精米条件を規定する白度選択部（２２）と、その投入穀物を精米する精米部（１４ａ，１４，１６ａ，１６）と、この精米部から出力された穀物を受ける白米タンク（１３）と、精米部（１４ａ，１４，１６ａ，１６）を操作盤（Ｐ）で設定した精米条件で精米動作させる精米運転制御を行う制御部とを設け、該制御部は清掃スイッチ（２３）の操作信号によって精米部（１４ａ，１４，１６ａ，１６）各機器内の残留穀物を排出させる清掃運転制御を行う構成とし、精米部（１４ａ，１４，１６ａ，１６）と白米タンク（１３）との間には、清掃スイッチ（２３）の操作と対応して精米部から排出される穀物の案内先を切替える切替弁（１３ａ）を設け、この切替弁（１３ａ）を介して穀物を受ける残留米受部（１３ｂ）を機械室（Ｍ）に備えることを特徴とする。
【０００８】
上記構成の料金式精米設備は、制御部の精米運転制御によって投入穀物の全自動精米を行い、また、清掃スイッチの操作による清掃運転制御の起動により、設定時間について各機器内の残留穀物の排出動作をする。
清掃スイッチの操作によって清掃運転制御が起動された時に、その排出穀物が残留米受部に案内される。
【０００９】
請求項２に係る発明は、建屋（Ｂ）内を客室（Ｃ）と機械室（Ｍ）とに仕切壁（Ｄ）で仕切り、この建屋（Ｂ）内に、穀物を投入する投入ホッパ（１２）と、投入ホッパ（１２）内の投入穀物を繰り出す繰り出し手段（１２ａ）と、利用者の操作によって投入穀物の精米条件を規定する白度選択部（２２）と、その投入穀物を精米する精米部（１４ａ，１４，１６ａ，１６）と、この精米部から出力された穀物を受ける白米タンク（１３）と、精米部（１４ａ，１４，１６ａ，１６）を操作盤（Ｐ）で設定した精米条件で精米動作させる精米運転制御を行う制御部とを設け、該制御部は清掃スイッチ（２３）の操作信号によって、繰り出し手段（１２ａ）を駆動し、投入ホッパ（１２）内の残留穀物を繰り出す清掃運転制御を行う構成とし、該繰り出した穀物を受ける残留米受部（１３ｂ）を機械室（Ｍ）に備えることを特徴とする。
【発明の効果】
【００１０】
請求項１に係る発明の料金式精米設備は、制御部の精米運転制御によって投入穀物の全自動精米を行い、また、清掃スイッチの操作による清掃運転制御の起動により、各機器の内部の残留穀物を排出することができるため、前の利用者の穀物が精米部の各機器に残留する場合に排出でき、次の利用者の穀物との混入を招くことを防止できる。従って、利用者が投入した穀物毎に精米処理することができる。
また、切替弁と残留米受部とを備えることから、清掃スイッチの操作によって清掃運転制御が起動された時に、その排出穀物を残留米受部に分けて取扱うことができる。
【００１１】
請求項２に係る発明の料金式精米設備は、制御部の精米運転制御によって投入穀物の全自動精米を行い、また、清掃スイッチの操作による清掃運転制御の起動により、前の利用者の穀物が投入ホッパ内に残留する場合に排出でき、次の利用者の穀物との混入を招くことを防止できる。
また、残留米受部を備えることから、清掃スイッチの操作によって清掃運転制御が起動された時に、その残留穀物を残留米受部に分けて取扱うことができる。
【図面の簡単な説明】
【００１２】
【図１】料金式精米設備の一構成例についてのシステム展開図
【図２】料金式精米設備の機器配置構成例の平面図
【図３】図２の機器配置構成例の側面図
【図４】客室側からの見取図
【図５】制御部による制御フローチャート
【発明を実施するための形態】
【００１３】
上記技術思想に基づいて具体的に構成された実施の形態について以下に図面を参照しつつ説明する。
料金式精米設備は、その一構成例についてのシステム展開図を図１に示すように、穀物を投入するための投入ホッパ１２から、穀物を取出すための白米タンク１３および切替弁１３ａによって切替え可能に設けた残米受箱１３ｂによる精米受部までの間に精米部機器、すなわち、上記投入ホッパ１２から繰出し手段である搬送ロータリバルブ１２ａによって取込んだ穀粒を上位排出する第１昇降機１４ａと、この第１昇降機１４ａから受けた穀粒を異物選別する石抜機１４と、その送出穀粒を上位排出する第２昇降機１６ａと、この第２昇降機１６ａから玄米タンク１６ｔに受けた穀粒を精米する精米機１６とを設け、これら機器を制御する制御部（図示せず）を後述の操作パネルＰの内部に構成する。また、第１昇降機１４ａの送出側には、第一昇降機で搬送された穀物を投入ホッパ１２側に戻すための戻し通路１２ｃ側に切り替える切替弁１４ｂを備える。
【００１４】
料金式精米設備の具体的な構成は、建家内にコンパクトに収容した一例を図２、図３の機器配置構成の平面図および側面図にそれぞれ示すように、収容建家Ｂ内を客室Ｃと機械室Ｍとに前後に分け、両者の間は、仕切壁Ｄで仕切られている。
【００１５】
機械室Ｍには、精米部を構成する各機器を配置し、すなわち、第１昇降機１４ａ、石抜機１４、第２昇降機１６ａ、精米機１６が順に配置され、精米機１６の排出口と白米タンク側１３との間に切替弁１３ａを設け、精米機１６から排出した穀物を白米タンク１３か残米受箱１３ｂに案内できる構成としている。
【００１６】
客室Ｃ側には、仕切壁Ｄ面の見取図（図４）に示すように、シャッター１２ｂによって投入口を開放・閉鎖可能に構成した投入ホッパ１２と、精白米を袋に収納するための払出口１３ｃにシャッターレバーを備えた白米タンク１３を左右端に配置し、中央下部位置に料金投入部２１を配置し、その上方に白度選択部２２、清掃スイッチ２３、料金表示窓２４等から構成される操作盤Ｐを配置する。清掃スイッチ２３は、その操作が可能である範囲で点灯表示可能に構成する。
【００１７】
また、各機器を制御する制御部は、操作盤Ｐで設定された精白度や投入料金等の精米条件に応じて投入穀物を精米するように各機器を制御する精米運転制御を構成し、また、清掃スイッチ２３の操作により、各機器について空運転を行なって残留穀物を排出させるとともに、切替弁１３ａを切替えて精米機１６の排出穀物を残米受箱１３ｂに案内するように設定時間清掃動作をさせる清掃運転制御を構成する。清掃動作の時間は、各排出穀物が残米受箱１３ｂに到達する時間を確保する。
【００１８】
上記制御部による清掃運転制御について詳細に説明すると、図５の制御フローチャートに示すように、まず料金を投入すると、シャッター１２ｂが開放動作し、投入ホッパ１２の投入口が開口されると共に、清掃スイッチ２３のランプが点灯する。
清掃スイッチ２３の操作をチェックする処理ステップ１（以下において、Ｓ１の如く略記する。）を設け、「操作有り」（清掃スイッチＯＮ）の場合に限り所定の制御（Ｓ２〜Ｓ５）を行う。すなわち、切替弁１３ａを残米受箱１３ｂに切替え（Ｓ２）、第１昇降機１４ａ、石抜機１４、第２昇降機１６ａ、精米機１６におよぶ構成各機器の残留穀物を排出するために所定時間（例えば２０秒）について空運転（Ｓ３，Ｓ４）による清掃動作を行い、次いで切替弁１３ａを再度切替えて精米機１６の精米出力先を白米タンク１３に戻す（Ｓ５）。
【００１９】
上記清掃運転制御（Ｓ２〜Ｓ５）は、料金投入を前提条件として白度選択前の清掃スイッチ２３の操作に限って各機器の清掃動作を行い、その後は、清掃スイッチ２３の操作が無い場合を含め、穀物投入（Ｓ６）と白度選択操作（Ｓ７）に従って設定条件に添うように投入穀物を精白する精米運転制御（Ｓ８〜Ｓ１０）に移行する。
【００２０】
料金切れ等で精米運転が途中で停止し、投入ホッパ１２内に穀物が残留している場合に、持ち帰りスイッチ１２ｄを操作するとロータリバルブ１２ａと第一昇降機１４ａが駆動すると共に、切替弁１４ｂが切り替えられ、投入ホッパ１２内の残留穀物は戻し通路から穀物返却口１２ｅに戻され、利用者はこの穀物を袋等で受けて持ち帰ることができる。
【００２１】
清掃スイッチ２３により、機器の内部に前の利用者の穀物や異物が残留していても、清掃運転制御（Ｓ２〜Ｓ５）によって残米受箱１３ｂに案内されることから、その混入を招くことなく、利用者の投入穀物のみを精白して白米タンク１３から精白穀物を取出すことができる。
【００２２】
上記制御部は、その制御構成により、料金投入の後における清掃スイッチ２３の操作に限って内部清掃のための清掃運転制御（Ｓ２〜Ｓ５）が起動されることにより、精米利用を前提としない清掃運転制御（Ｓ２〜Ｓ５）を排除することができる。
【００２３】
また、清掃運転制御を行なう場合、清掃運転制御（Ｓ２〜Ｓ５）の終了後に白度選択操作（Ｓ７）を可能に構成することにより、清掃運転制御（Ｓ２〜Ｓ５）による内部清掃の動作中なのか、精米運転制御（Ｓ８〜Ｓ１０）による精米動作中なのかを認識することができ、逆に、清掃運転制御（Ｓ２〜Ｓ５）を白度選択操作（Ｓ７）により強制終了して精米運転制御（Ｓ８〜Ｓ１０）に移行するように構成することにより、内部清掃を適宜切り上げて精米を急ぐ場合に対応することができる。
【００２４】
また、清掃運転制御について、ロータリバルブ１２ａを動かして投入ホッパ１２の残留穀物を排出する構成としても良い。なお、この場合に、清掃運転中に投入ホッパ１２に設ける穀物有無検出センサ１２ｆが穀物無しから穀物有りを検出すると、利用者が穀物を誤投入したと判定してロータリバルブ１２ａを停止する構成としても良い。
【００２５】
また、清掃運転制御で排出する残留穀物は第２昇降機１６ａの排出口側に切替弁（図示せず）を設けて残米受箱１３ｂに排出する構成としても良い。
また、清掃スイッチ２３は料金投入して、利用者がスイッチを押しているときだけ清掃運転動作を行なう構成にしてもよい。また、清掃スイッチ２３は操作盤Ｐに限らず、仕切壁Ｄの所望の位置や投入ホッパ１２の近傍といった客室Ｃ側に適宜設ける構成としても良い。
【符号の説明】
【００２６】
１２  投入ホッパ
１３  白米タンク
１３ａ  切替弁
１３ｂ  残米受箱
１４  石抜機（精米部）
１４ａ  第一昇降機（精米部）
１６  精米機（精米部）
１６ａ  第二昇降機（精米部）
２１  料金投入部
２２  白度選択部
２３  清掃スイッチ
Ｓ  精米設定部
【図１】
0005560694.tif 000002
【図２】
0005560694.tif 000003
【図３】
0005560694.tif 000004
【図４】
0005560694.tif 000005
【図５】
0005560694.tif 000006